【手続補正書】
【提出日】平成27年4月14日(2015.4.14)
【手続補正１】
【補正対象書類名】特許請求の範囲
【補正対象項目名】全文
【補正方法】変更
【補正の内容】
【特許請求の範囲】
【請求項１】
リチウム塩とこれを溶解する非水系溶媒を含有してなる非水系電解液であって、前記非水系電解液が、下記一般式（１）で表される環状酸無水物骨格を２つ有する化合物を含有することを特徴とする非水系電解液。
【化１】
2013232298.tif 000001
（上記式（１）中、Ｘはヘテロ原子、またはハロゲン原子を有していてもよい炭素数１〜１０の有機基を表し、同一であっても異なっていてもよい。また、Ｘ同士は直接あるいは置換基を介して互いに結合して環を形成してもよい。ｎは０または１を表し、０の場合はＸ同士が直接結合することを意味する。Ｙはヘテロ原子、またはハロゲン原子を有していてもよい炭素数１〜１０の有機基である連結基を表す。ただし、シクロペンタンテトラカルボン酸二無水物、無水ピロメリット酸、および４，４’−（ヘキサフルオロイソプロピリデン）ジフタル酸無水物を除く。）
【請求項２】
前記一般式（１）で表される化合物は、Ｘが窒素原子、またはハロゲン原子を有していてもよい炭素数１〜１０の有機基を表し、同一であっても異なっていてもよいことを特徴とする請求項１に記載の非水系電解液。
【請求項３】
前記一般式（１）で表される化合物は、Ｘが窒素原子、またはハロゲン原子を有していてもよい炭素数２〜８の有機基を表し、同一であっても異なっていてもよいことを特徴とする請求項１または２に記載の非水系電解液。
【請求項４】
前記一般式（１）で表される化合物は、連結基を表すＹが硫黄原子、酸素原子、またはハロゲン原子を有してもよい炭素数１〜１０の有機基であること特徴とする請求項１乃至３のいずれか１項に記載の非水系電解液。
【請求項５】
リチウム塩とこれを溶解する非水系溶媒を含有してなる非水系電解液であって、前記非
水系電解液が、下記一般式（２）で表される環状酸無水物骨格を２つ有する化合物、並びにフッ素原子を有する環状カーボネート、および炭素−炭素不飽和結合を有する環状カーボネートよりなる群から選ばれる少なくとも１種の化合物を含有することを特徴とする非水系電解液。
【化２】
2013232298.tif 000002
（上記式（２）中、Ｘはヘテロ原子、またはハロゲン原子を有していてもよい炭素数１〜１０の有機基を表し、同一であっても異なっていてもよい。また、Ｘ同士は直接あるいは置換基を介して互いに結合して環を形成してもよい。ｎは０または１を表し、０の場合はＸ同士が直接結合することを意味する。Ｚはヘテロ原子、またはハロゲン原子を有していてもよい炭素数１〜１０の有機基である連結基を表す。ただし、シクロペンタンテトラカルボン酸二無水物および無水ピロメリット酸を除く。）
【請求項６】
前記炭素−炭素不飽和結合を有する環状カーボネートがビニレンカーボネートであることを特徴とする請求項５に記載の非水系電解液。
【請求項７】
前記フッ素原子を有する環状カーボネートがモノフルオロエチレンカーボネートであることを特徴とする請求項５または６に記載の非水系電解液。
【請求項８】
リチウムイオンを吸蔵・放出可能な負極及び正極、並びに非水系電解液を含む非水系電解液電池であって、該非水系電解液が請求項１乃至７のいずれか１項に記載の非水系電解液であることを特徴とする非水系電解液電池。
【手続補正２】
【補正対象書類名】明細書
【補正対象項目名】０００９
【補正方法】変更
【補正の内容】
【０００９】
【化１】
2013232298.tif 000003
（上記式（１）中、Ｘはヘテロ原子、ハロゲン原子を有していてもよい炭素数１〜１０の有機基を表し、同一であっても異なっていてもよい。また、Ｘ同士は直接あるいは置換基を介して互いに結合して環を形成してもよい。ｎは０または１を表し、０の場合はＸ同士が直接結合することを意味する。Ｙはヘテロ原子、またはハロゲン原子を有していてもよい炭素数１〜１０の有機基である連結基を表す。ただし、シクロペンタンテトラカルボン酸二無水物、無水ピロメリット酸、および４，４’−（ヘキサフルオロイソプロピリデン）ジフタル酸無水物を除く。）
（ｂ）前記一般式（１）で表される化合物は、Ｘが窒素原子、またはハロゲン原子を有していてもよい炭素数１〜１０の有機基を表し、同一であっても異なっていてもよいことを特徴とする（ａ）に記載の非水系電解液。
（ｃ）前記一般式（１）で表される化合物は、Ｘが窒素原子、またはハロゲン原子を有し
ていてもよい炭素数２〜８の有機基を表し、同一であっても異なっていてもよいことを特徴とする（ａ）または（ｂ）に記載の非水系電解液。
（ｄ）前記一般式（１）で表される化合物は、連結基を表すＹが硫黄原子、酸素原子、またはハロゲン原子を有してもよい炭素数１〜１０の有機基であること特徴とする（ａ）乃至（ｃ）のいずれかに記載の非水系電解液。
（ｅ）リチウム塩とこれを溶解する非水系溶媒を含有してなる非水系電解液であって、前記非水系電解液が、下記一般式（２）で表される環状酸無水物骨格を２つ以上有する化合物、並びにフッ素原子を有する環状カーボネート、または炭素−炭素不飽和結合を有する環状カーボネートよりなる群から選ばれる少なくとも１種の化合物を含有することを特徴とする非水系電解液。
【手続補正３】
【補正対象書類名】明細書
【補正対象項目名】００１０
【補正方法】変更
【補正の内容】
【００１０】
【化２】
2013232298.tif 000004
（上記式（２）中、Ｘはヘテロ原子、またはハロゲン原子を有していてもよい炭素数１〜１０の有機基を表し、同一であっても異なっていてもよい。また、Ｘ同士は直接あるいは置換基を介して互いに結合して環を形成してもよい。ｎは０または１を表し、０の場合はＸ同士が直接結合することを意味する。Ｚはヘテロ原子、またはハロゲン原子を有していてもよい炭素数１〜１０の有機基である連結基を表す。ただし、シクロペンタンテトラカルボン酸二無水物および無水ピロメリット酸を除く。）
（ｆ）前記炭素−炭素不飽和結合を有する環状カーボネートがビニレンカーボネートであることを特徴とする（ｅ）に記載の非水系電解液。
（ｇ）前記フッ素原子を有する環状カーボネートがモノフルオロエチレンカーボネートであることを特徴とする（ｅ）または（ｆ）に記載の非水系電解液。
（ｈ）リチウムイオンを吸蔵・放出可能な負極及び正極、並びに非水系電解液を含む非水系電解液電池であって、該非水系電解液が（ａ）乃至（ｇ）のいずれかに記載の非水系電解液であることを特徴とする非水系電解液電池。
【手続補正４】
【補正対象書類名】明細書
【補正対象項目名】０２０２
【補正方法】変更
【補正の内容】
【０２０２】
以下に、実施例及び比較例を挙げて本発明をさらに具体的に説明するが、本発明は、これらの実施例に限定されるものではない。
[実施例１〜１６]
［負極の作製］
炭素質材料９８質量部に、増粘剤及びバインダーとして、それぞれ、カルボキシメチルセルロースナトリウムの水性ディスパージョン（カルボキシメチルセルロースナトリウムの濃度１質量％）１００質量部及びスチレン−ブタジエンゴムの水性ディスパージョン（
スチレン−ブタジエンゴムの濃度５０質量％）２質量部を加え、ディスパーザーで混合してスラリー化した。得られたスラリーを厚さ１０μｍの銅箔に塗布して乾燥し、プレス機で圧延したものを、活物質層のサイズとして幅３０ｍｍ、長さ４０ｍｍ、及び幅５ｍｍ、長さ９ｍｍの未塗工部を有する形状に切り出し、それぞれ実施例１〜１６及び比較例１〜９に用いる負極とした。
【手続補正５】
【補正対象書類名】明細書
【補正対象項目名】０２０６
【補正方法】変更
【補正の内容】
【０２０６】
【表１】
2013232298.tif 000005
【手続補正６】
【補正対象書類名】明細書
【補正対象項目名】０２０７
【補正方法】変更
【補正の内容】
【０２０７】
【表２】
2013232298.tif 000006